(57)【要約】【課題】視聴環境に応じてサブウーハの出力を容易に入り切りできると同時に、最適な音響特性を得ることができる音声制御手段を提供する。【解決手段】スピーカ設定手段１でサブウーハを無しと設定された場合とサブウーハ音量設定手段２でサブウーハの音量を切ると設定された場合とのいずれか一方による設定によってサブウーハをミュートと検出するサブウーハミュート検出手段７と、スピーカ設定手段１により設定されるスピーカの有無及びサブウーハミュート検出手段７により検出されるサブウーハのミュートに基いて、音響特性を切替える音響特性切替手段４とを備える。音響特性切替手段４は、スピーカ設定手段１でサブウーハを無しと設定された場合と、サブウーハ音量設定手段２でサブウーハの音量を切ると設定された場合とにおいて、同じ音響特性に設定する。【選択図】　　　　図１
2004040625.tif 000002
【特許請求の範囲】
【請求項１】
サブウーハを含む複数の音声出力チャンネルのスピーカの有無をそれぞれ独立して設定可能なスピーカ設定手段と、
上記サブウーハの音量を独立して設定可能なサブウーハ音量設定手段と、
上記スピーカ設定手段において上記サブウーハを無しと設定された場合と、上記サブウーハ音量設定手段において上記サブウーハの音量を切ると設定された場合とのいずれか一方による設定によって上記サブウーハをミュートするサブウーハミュート設定手段と、
上記スピーカ設定手段により設定される上記スピーカの有無、及び上記サブウーハミュート設定手段により設定される上記サブウーハのミュートに基いて、上記複数の音声出力チャンネルから出力される音響特性を切替える音響特性切替手段とを備え、
上記音響特性切替手段は、上記スピーカ設定手段において上記サブウーハを無しと設定された場合と、上記サブウーハ音量設定手段において上記サブウーハの音量を切ると設定された場合とにおいて、上記音響特性を同じものに設定することを特徴とする音声制御手段。
【請求項２】
コンピュータに、
サブウーハを含む複数の音声出力チャンネルのスピーカの有無をそれぞれ独立して設定可能なスピーカ設定手段においてサブウーハを無しと設定された場合と、上記サブウーハの音量を独立して設定可能なサブウーハ音量設定手段において上記サブウーハの音量を切ると設定された場合とのいずれか一方による設定によって、上記サブウーハをミュートするサブウーハミュート設定工程と、
上記スピーカ設定手段により設定される上記スピーカの有無、及び上記サブウーハミュート設定手段により設定される上記サブウーハのミュートに基いて、上記複数の音声出力チャンネルから出力される音響特性を切替える音響特性切替工程とを実行させるための音声制御プログラムであって、
上記音響特性切替工程においては、上記スピーカ設定手段において上記サブウーハを無しと設定された場合と、上記サブウーハ音量設定手段において上記サブウーハの音量を切ると設定された場合とにおいて、上記音響特性が同じものに設定されることを特徴とする音声制御プログラム。
【発明の詳細な説明】
【０００１】
【発明の属する技術分野】
この発明は、複数チャンネルの音声出力によって構成されるサラウンドシステムの音声制御手段、及び音声制御プログラムに関するものであり、より詳しくは、サブウーハの有無によって音響特性を切り替える音声制御手段、及び音声制御プログラムに関するものである。
【０００２】
【従来の技術】
図６は、従来の音声制御手段のブロック図である。図６において、１は複数の音声出力チャンネルのスピーカの有無をそれぞれ独立して設定可能なスピーカ設定手段、２はサブウーハの音量を独立して設定可能なサブウーハ音量設定手段、３はサブウーハ以外の音声出力チャンネルの音量バランスを設定する音量バランス設定手段、４はスピーカ設定手段１により設定されるスピーカの有無に基いて複数の音声出力チャンネルから出力される音響特性を切替える音響特性切替手段、５ａは音響特性切替手段４によって出力される音響特性及びサブウーハ音量設定手段２での設定内容が入力され、サブウーハの音量を切り替えるサブウーハ音量切替手段である。同様に、５ｂ、５ｃ、５ｄ、５ｅはそれぞれ、音響特性切替手段４によって出力される音響特性及び音量バランス設定手段３での設定内容が入力され、フロントＬ、フロントＲ、センタ、リアの各音声出力チャンネルの音量を切り替える音量切替手段である。６ａ、６ｂ、６ｃ、６ｄ、６ｅはそれぞれ、音量切替手段５ａ、５ｂ、５ｃ、５ｄ、５ｅに接続される各音声出力チャンネルのメインアンプを含む出力手段であり、それぞれ図示しない各音声出力チャンネルのスピーカに接続される。
【０００３】
次に、図６に示した従来の音声制御手段の動作について説明する。まず、スピーカ設定手段１によって、複数の音声出力チャンネルのスピーカの有無がそれぞれ独立して設定される。具体的には、図７に示すようなメニュー画面に沿って、センタの有無、リアの有無、サブウーハの有無といった各音声出力スピーカについてそれぞれ入力され設定が行われる。このスピーカ設定手段１により設定されるスピーカの有無に基いて、音響特性切替手段４は、最適な音場を作るために複数の音声出力チャンネルから出力される音響特性を切替える。これによって、音響特性切替手段４に入力された複数チャンネルのサラウンド音声は最適な音響特性に作り変えられて、各音声出力チャンネルの音量切替手段５ａ、５ｂ、５ｃ、５ｄ、５ｅに入力される。
【０００４】
一方、各チャンネルの音声出力に接続されたスピーカの効率や設置距離によってユーザの位置での音圧レベルが異なるため、音量バランスの調整が必要である。ここで、サブウーハ以外の音声出力チャンネルについては、スピーカを設置したときに予め音量バランスの設定をしておけばよく、音量バランス設定手段３によって各チャンネル−１０ｄＢから＋１０ｄＢの範囲で音量が調節され、各チャンネルの音量切替手段５ｂ、５ｃ、５ｄ、５ｅを制御する。
【０００５】
サブウーハの音量については、再生されるソース、視聴環境などによって適宜音量を調節する必要があるため、スピーカ設定手段１や音量バランス設定手段３よりも、より少ない操作で容易に設定することができるサブウーハ音量設定手段２によって調整される。具体的には、図８に示すような設定画面を呼び出し、−１０ｄＢから＋１０ｄＢの範囲で調節される。さらに、サブウーハ音量切替手段５ａは、この調節された内容によって制御される。
【０００６】
ここで、サブウーハ音量設定手段２をソフトウエアで構成する場合は、図９に示すようなアルゴリズムで構成すればよい。図９の例では、図８に示す設定画面を表示し、例えば図示しないリモコンの十字型キーの左キー又は右キーを押すことによって、それぞれサブウーハの音量を下げたり上げたりすることができる。リモコンの左キーが入力されて音量を小さくする命令が出された場合（Ｓｔ１１）、−１０ｄＢになるまで１ｄＢずつ音量を下げることができるが、既にサブウーハ音量設定値が−１０ｄＢのときには、左キーが入力されてもそれ以下に音量を下げることはできない（Ｓｔ１２）。一方、リモコンの右キーが入力されて音量が大きくする命令が出された場合（Ｓｔ１３）、＋１０ｄＢになるまで１ｄＢずつ音量を上げることができる（Ｓｔ１４）。
【０００７】
以上によって、各音声出力チャンネルの音量切替手段５ａ、５ｂ、５ｃ、５ｄ、５ｅに入力された音声はそれぞれ、サブウーハ音量設定手段２及び音量バランス設定手段３により音量を制御された後、各音声出力チャンネルの音声出力手段６ａ、６ｂ、６ｃ、６ｄ、６ｅを介して、各スピーカ（図示せず）に出力される。
【０００８】
【発明が解決しようとする課題】
従来の音声制御手段は、上記のような構成であったので、例えば深夜の視聴時など、サブウーハを完全に切りたいとき、さらには低音を他の低音再生能力の比較的小さいスピーカから出したいときなどには、サブウーハ音量設定手段２によっては行えず、スピーカ設定手段１によって図７の設定画面を呼び出してサブウーハの設定を「無」としなければならず煩雑な操作を必要としていた。
【０００９】
この問題を解決する方法として、スピーカ設定手段１でのサブウーハの設定が「有」の場合であっても、サブウーハ音量設定手段２として、図１０に示すような設定画面においてサブウーハを「切」とすればミュートを設定することができるものが考えられる。しかし、この場合は、スピーカ設定手段１でのサブウーハの設定とサブウーハ音量設定手段２でのサブウーハの設定とが異なる場合に、整合性をとる必要がある。
【００１０】
また、ステレオモードなど出力音声チャンネルをフロントＬ及びフロントＲに限定したモードを選択したときには、サブウーハも自動的にミュートと設定されるシステムも考えられる。しかし、フロントＬ及びフロントＲとして低音再生能力の小さいスピーカを接続している場合には、ステレオモードでは低音が再生できないといった問題があった。
【００１１】
この発明は、上記のような問題点を解消するためになされたもので、ユーザが視聴環境に応じてサブウーハの出力を容易に入り切りできると同時に、簡便な操作方法で、最適な音響特性を得ることができる音声制御手段、及び音声制御プログラムを提供することを目的とする。
【００１２】
【課題を解決するための手段】
本発明の音声制御手段は、サブウーハを含む複数の音声出力チャンネルのスピーカの有無をそれぞれ独立して設定可能なスピーカ設定手段と、上記サブウーハの音量を独立して設定可能なサブウーハ音量設定手段と、上記スピーカ設定手段において上記サブウーハを無しと設定された場合と、上記サブウーハ音量設定手段において上記サブウーハの音量を切ると設定された場合とのいずれか一方による設定によって上記サブウーハをミュートするサブウーハミュート設定手段と、上記スピーカ設定手段により設定される上記スピーカの有無、及び上記サブウーハミュート設定手段により設定される上記サブウーハのミュートに基いて、上記複数の音声出力チャンネルから出力される音響特性を切替える音響特性切替手段とを備え、上記音響特性切替手段は、上記スピーカ設定手段において上記サブウーハを無しと設定された場合と、上記サブウーハ音量設定手段において上記サブウーハの音量を切ると設定された場合とにおいて、上記音響特性を同じものに設定することを特徴とする。
【００１３】
また、本発明の音声制御プログラムは、コンピュータに、サブウーハを含む複数の音声出力チャンネルのスピーカの有無をそれぞれ独立して設定可能なスピーカ設定手段においてサブウーハを無しと設定された場合と、上記サブウーハの音量を独立して設定可能なサブウーハ音量設定手段において上記サブウーハの音量を切ると設定された場合とのいずれか一方による設定によって、上記サブウーハをミュートするサブウーハミュート設定工程と、上記スピーカ設定手段により設定される上記スピーカの有無、及び上記サブウーハミュート設定手段により設定される上記サブウーハのミュートに基いて、上記複数の音声出力チャンネルから出力される音響特性を切替える音響特性切替工程とを実行させるための音声制御プログラムであって、上記音響特性切替工程においては、上記スピーカ設定手段において上記サブウーハを無しと設定された場合と、上記サブウーハ音量設定手段において上記サブウーハの音量を切ると設定された場合とにおいて、上記音響特性が同じものに設定されることを特徴とする。
【００１４】
【発明の実施の形態】
以下、本発明に係わる音声制御手段を、その実施の一形態を示す図面に基づき具体的に説明する。なお、図において、同一符号は従来のものと同一または相当するものを示す。
【００１５】
実施の形態１．
図１は実施の形態１に係わる音声制御手段を表すブロック図である。図１において、１は複数の音声出力チャンネルのスピーカの有無をそれぞれ独立して設定可能なスピーカ設定手段であり、例えば図７に示したメニュー画面に沿って入力され、複数の音声出力チャンネルのスピーカの有無がそれぞれ設定される。２はサブウーハの音量を独立して設定可能なサブウーハ音量設定手段であり、例えば図１０に示した設定画面に沿って、設定値として−１０ｄＢから＋１０ｄＢまでの１ｄＢステップに加え、「切」も入力可能である。７はスピーカ設定手段１においてサブウーハを「無」と設定された場合と、サブウーハ音量設定手段２においてサブウーハの音量を「切」と設定された場合とのいずれか一方による設定によって、サブウーハをミュートするサブウーハミュート設定手段である。
【００１６】
また、３はサブウーハ以外の音声出力チャンネルの音量バランスを設定する音量バランス設定手段である。４はスピーカ設定手段により設定されるスピーカの有無、及びサブウーハミュート設定手段７により設定されるサブウーハのミュートに基いて、複数の音声出力チャンネルから出力される音響特性を切替える音響特性切替手段であり、これについては後述する。５ａは音響特性切替手段４によって出力される音響特性と、サブウーハ音量設定手段２での設定内容と、サブウーハミュート設定手段７により設定されるサブウーハのミュートとが入力され、サブウーハの音量を切り替えるサブウーハ音量切替手段である。５ｂ、５ｃ、５ｄ、５ｅはそれぞれ、音響特性切替手段４によって出力される音響特性、及び音量バランス設定手段３での設定内容が入力され、フロントＬ、フロントＲ、センタ、リアの各音声出力チャンネルの音量を切り替える音量切替手段である。６ａ、６ｂ、６ｃ、６ｄ、６ｅはそれぞれ、音量切替手段５ａ、５ｂ、５ｃ、５ｄ、５ｅに接続される各音声出力チャンネルのメインアンプを含む出力手段であり、それぞれ図示しない各音声出力チャンネルのスピーカに接続される。
【００１７】
図２は、複数の音声出力チャンネルのうちフロントＬ、フロントＲ及びサブウーハから出力される音響特性についての音響特性切替手段４の一例を示すブロック図である。１０はフロントＬ及びフロントＲの音声入力端子であり、１１はサブウーハの音声入力端子である。１２は音声入力端子１０から入力された音声のうち、重低音成分以外を通過させるハイパスフィルタ（ＨＰＦ）である。１３は、スピーカ設定手段１の設定内容及びサブウーハミュート設定手段７の設定に基づいて、音声入力端子１０から入力された音声と、ＨＰＦ１２の出力とを切替える切替手段である。１４は切替手段１３の出力と、サブウーハの音声入力端子１１から入力された音声との加算器である。１５はスピーカ設定手段１の設定内容及びサブウーハミュート設定手段７の設定に基づいて、サブウーハの音声入力端子１１から入力された音声を、加算器１４において加算するか否かを切替える切替手段である。１６は音声入力端子１０から入力された音声のうち、重低音成分だけを通過させるローパスフィルタ（ＬＰＦ）である。１７はＬＰＦ１６の出力とサブウーハの音声入力端子１１から入力された音声を加算する加算器である。１８はスピーカ設定手段１の設定内容及びサブウーハミュート設定手段７の設定に基づいて、ＬＰＦ１６の出力をサブウーハ音声に加算するか否かを切替える切替手段である。１９はフロントＬ及びフロントＲの音声出力端子であり、２０はサブウーハの音声出力端子である。
【００１８】
次に、図１に示した実施の形態１の音声制御手段の動作について説明する。まず、スピーカ設定手段１によって、複数の音声出力チャンネルのスピーカの有無がそれぞれ独立して設定される。具体的には、図７に示すようなメニュー画面に沿って、センタの有無、リアの有無、サブウーハの有無といった各音声出力スピーカについてそれぞれ入力されて、各スピーカの有無の設定が行われる。サブウーハ音量設定手段２においては、例えば図１０に示した設定画面に沿って入力することにより、サブウーハの音量が独立して設定される。ここでは、ミュートの設定も可能である。次いで、サブウーハミュート設定手段７により、スピーカ設定手段１においてサブウーハを「無」と設定された場合と、サブウーハ音量設定手段２においてサブウーハの音量を「切」と設定された場合とのいずれか一方による設定によって、サブウーハをミュートする。これにより、ユーザが深夜に視聴する場合などサブウーハを切りたい場合や、ステレオモードで視聴する場合にサブウーハも効かせたい場合などに、容易にサブウーハを入り切りし、音量レベルを調整することができる。更に、スピーカ設定手段１においてサブウーハを「有」と設定されている場合であって、サブウーハ音量設定手段２においてはサブウーハの音量を「切」と設定された場合などのように、スピーカ設定手段１でのサブウーハの設定とサブウーハ音量設定手段２でのサブウーハの設定とが異なる場合に、簡便な回路構成で整合性をとることができる。
【００１９】
このスピーカ設定手段１により設定されるスピーカの有無、及びサブウーハミュート設定手段７により設定されるサブウーハのミュートに基いて、音響特性切替手段４では、複数の音声出力チャンネルから出力される音響特性が切替えられる。音響特性切替手段４では、スピーカ設定手段１においてサブウーハを「無」と設定された場合と、サブウーハ音量設定手段２においてサブウーハの音量を「切」と設定された場合とにおいて、同じ音響特性に設定される。
【００２０】
音響特性切替手段４においては、図２に示すように、フロントＬ及びフロントＲの音声入力端子１０から入力された音声については、切替手段１３によって、スピーカ設定手段１の設定内容及びサブウーハミュート設定手段７の設定に基づいて、当該音声入力端子１０から入力された音声と、ＨＰＦ１２の出力との切替えが行われるとともに、切替手段１８によって、スピーカ設定手段１の設定内容及びサブウーハミュート設定手段７の設定に基づいて、ＬＰＦ１６の出力を加算器１７においてサブウーハ音声入力端子１１から入力された音声に加算するか否かの切替えが行われる。サブウーハの音声入力端子１１から入力された音声については、スピーカ設定手段１の設定内容及びサブウーハミュート設定手段７の設定に基づいて、切替手段１５によって、当該音声入力端子１１から入力された音声を、加算器１４において加算するか否かの切替えが行われる。
【００２１】
サブウーハミュート設定手段７がサブウーハをミュートした場合には、切替手段１５及び切替手段１８を切替えることにより（図２においては共に実線側）サブウーハの音声出力端子２０からは出力が行われず、加算器１４においてフロントＬ及びフロントＲにサブウーハの音声出力を加算して、フロントＬ及びフロントＲの音声出力端子１９から出力される。この場合、切替手段１３については、フロントＬ及びフロントＲの音声入力端子１０から入力された音声側に切替えられ（図２においては実線側）、これとサブウーハの音声出力が加算される。
【００２２】
サブウーハミュート設定手段７がサブウーハをミュートした場合の音響特性の一例を図３に示す。図３では、周波数がｆ以下の場合がサブウーハであり、通常、約１００Ｈｚ以下である。図３に示されているように、フロントＬ及びフロントＲにおいて周波数ｆ以下のサブウーハの音声が自動的に重畳されるので、ＤＶＤなどサブウーハの音声の再生が強く求められるソースを再生する場合、余分な操作を必要としない。
【００２３】
一方、サブウーハミュート設定手段７がサブウーハをミュートしていない場合には、切替手段１５を切替えることにより（図２においては点線側）、サブウーハの音声出力端子２０からサブウーハの音声出力がなされる。この場合、切替手段１３については、ＨＰＦ１２の出力側に切替えられる（図２においては点線側）。更に、切替手段１８については、ＬＰＦ１６の出力をサブウーハの音声に加算されるように切り替えられ（図２においては点線側）、フロントＬ及びフロントＲの重低音成分がサブウーハ音声に振り替えられる。
【００２４】
サブウーハミュート設定手段７がサブウーハをミュートしていない場合の音響特性の一例を図４に示す。図４でも、周波数がｆ以下の場合がサブウーハである。フロントＬ及びフロントＲの重低音成分がサブウーハの音声に振り替えられる。
【００２５】
このようにして、音響特性切替手段４に入力された複数チャンネルのサラウンド音声は最適な音響特性に作り変えられて、各音声出力チャンネルの音量切替手段５ａ、５ｂ、５ｃ、５ｄ、５ｅに入力される。
【００２６】
サブウーハについては、サブウーハ音量設定手段２によって音量が設定され、チャンネルの音量切替手段５ａを制御する。サブウーハ以外の音声出力チャンネルについては、音量バランス設定手段３によって各チャンネル−１０ｄＢから＋１０ｄＢの範囲で音量が調節され、各チャンネルの音量切替手段５ｂ、５ｃ、５ｄ及び５ｅを制御する。
【００２７】
各音声出力チャンネルの音量切替手段５ａ、５ｂ、５ｃ、５ｄ、５ｅではそれぞれ、サブウーハ音量設定手段２及び音量バランス設定手段３の設定内容に基いて、音響特性切替手段４から入力された各音声チャンネルの音量を切り替える。
【００２８】
各音声出力チャンネルの音量切替手段５ａ、５ｂ、５ｃ、５ｄ、５ｅの出力は、それぞれメインアンプを含む６ａ，６ｂ，６ｃ，…の各チャンネルの出力手段を介してそれぞれのスピーカ（図示せず）に出力される。
【００２９】
実施の形態２
サブウーハ音量設定手段２及びサブウーハミュート設定手段７について更に詳しく説明する。
図５には、サブウーハ音量設定手段２及びサブウーハミュート設定手段７をソフトウエアで構成する場合のアルゴリズムを示す。図５においては、図８に示す設定画面を表示し、例えば図示しないリモコンの十字型キーの左キー又は右キーを押すことによって、それぞれサブウーハの音量を下げたり上げたりすることができる。リモコンの左キーが入力されて音量を小さくする命令が出された場合（Ｓｔ１）、−１０ｄＢになるまで１ｄＢずつ音量を下げることができる（Ｓｔ２）。ここで、サブウーハ音量設定手段２での設定値が既に−１０ｄＢになっている場合、ユーザによって左キーを入力されると、サブウーハミュート設定手段７に相当するサブウーハミュート設定工程によってミュートと判断され、サブウーハがミュートされ、さらに音響特性切替手段４を制御し、スピーカ設定手段１で予めサブウーハが無しと設定された場合と同じ音響特性（図５中では、音響特性１と記述）に切り替えられる。
【００３０】
逆に、リモコンの右キーが入力されて音量を大きくする命令が出された場合（Ｓｔ３）、サブウーハミュート設定手段７がミュートしていない場合以外には（Ｓｔ４）、＋１０ｄＢになるまで１ｄＢずつ音量を上げることができる。サブウーハ音量設定手段２での設定値がミュートになっているときに（Ｓｔ４）、ユーザによって右キーを入力されると、サブウーハミュート設定手段７に相当するサブウーハミュート設定工程によってミュート解除と判断され、サブウーハのミュートが解除され、音量レベルが−１０ｄＢにセットされる。さらに、音響特性切替手段４を制御し、サブウーハが有りの場合と同じ音響特性（図５中では、音響特性２と記述）に切り替えられる。
【００３１】
【発明の効果】
この発明は、以上説明したように構成されているので、以下に示すような効果を奏する。
【００３２】
この発明によれば、スピーカ設定手段においてサブウーハを無しと設定された場合と、サブウーハ音量設定手段においてサブウーハの音量を切ると設定された場合とのいずれか一方による設定によってサブウーハミュート設定手段によりサブウーハがミュートされ、音響特性切替手段では、スピーカ設定手段により設定されるスピーカの有無、及びサブウーハミュート設定手段により設定されるサブウーハのミュートに基いて、複数の音声出力チャンネルから出力される音響特性を切替え、スピーカ設定手段においてサブウーハを無しと設定された場合と、サブウーハ音量設定手段においてサブウーハの音量を切ると設定された場合とにおいて、音響特性を同じものに設定するので、ユーザが深夜に視聴する場合などサブウーハを切りたい場合や、ステレオモードで視聴する場合にサブウーハも効かせたい場合などに、サブウーハ音量設定手段を用いて容易にサブウーハを入り切りし、音量レベルを調整することができ、かつ、最適な音響特性を得ることができる。
【図面の簡単な説明】
【図１】実施の形態１の音声制御手段の構成を示すブロック図である。
【図２】実施の形態１の音響特性切替手段の構成を示すブロック図である。
【図３】サブウーハミュート設定手段がサブウーハをミュートした場合の音響特性の一例である。
【図４】サブウーハミュート設定手段がサブウーハをミュートしていない場合の音響特性の一例である。
【図５】実施の形態２のサブウーハ音量設定手段及びサブウーハミュート設定手段における制御アルゴリズムである。
【図６】従来の音声制御手段の構成を示すブロック図である。
【図７】スピーカ設定手段における設定画面の一例である。
【図８】従来のサブウーハ音量設定手段における設定画面の一例である。
【図９】従来のサブウーハ音量設定手段における制御アルゴリズムである。
【図１０】サブウーハ音量設定手段における設定画面の一例である。
【符号の説明】
１　スピーカ設定手段、２　サブウーハ音量設定手段、３　音量バランス設定手段、４　音響特性切替手段、５ａ　サブウーハ音量切替手段、５ｂ　フロントＬ音量切替手段、５ｃ　フロントＲ音量切替手段、５ｄ　センタ音量切替手段、５ｅ　リア音量切替手段、６ａ　サブウーハ出力、６ｂ　フロントＬ出力、６ｃフロントＲ出力、６ｄ　センタ出力、６ｅ　リア出力、７　サブウーハミュート設定手段。
【図１】
2004040625.tif 000003
【図２】
2004040625.tif 000004
【図３】
2004040625.tif 000005
【図４】
2004040625.tif 000006
【図５】
2004040625.tif 000007
【図６】
2004040625.tif 000008
【図７】
2004040625.tif 000009
【図８】
2004040625.tif 000010
【図９】
2004040625.tif 000011
【図１０】
2004040625.tif 000012